(57)【要約】【課題】  サーバ群システムにおいて緊急対応の要否を明確に認識できると共に、障害となっているサーバを特定して詳細状態を容易に把握できるサーバ群の監視装置を提供する。【解決手段】  表示部１４において、監視対象のサーバ群のグループ表示で、グループ名に対応付けて状況を色で表示する際に、制御部１１が、サーバに障害が発生しても、縮退運用が可能で緊急対応が必要でない場合は、「警告」の表示色で表示し、縮退運用が可能ではなく緊急対応が必要な場合は、「障害」の表示色で表示し、障害は発生していない場合は、「正常」の表示色で表示し、サーバグループを選択すると、当該グループに属するサーバの稼動状態を表示し、更に、グループ内のサーバを選択すると、当該サーバの詳細状態を表示する監視装置である。【選択図】        図３
2011145911.tif 000002
【特許請求の範囲】
【請求項１】
複数のサーバ群にネットワークを介して接続し、前記サーバ群を監視する監視装置であって、
前記サーバ群を機能単位でグループ表示する表示部と、
前記サーバ群を機能単位のグループで監視し、当該グループ内に属するサーバに障害が発生したか否かを判定し、障害が発生した判定した場合には、当該障害について縮退運用が可能ではなく緊急対応が必要であるか否かを判定し、緊急対応が必要な場合は、前記表示部にグループ表示を行う際に、グループ名に対応付けて状況を「障害」の表示色で表示し、前記緊急対応が必要でない場合は、前記状況を「警告」の表示色で表示し、障害が発生していない場合は、前記状況を「正常」の表示色で表示し、前記グループが選択されると、当該グループに属するサーバの稼動状態を表示し、当該グループに属するサーバが選択されると、当該サーバの詳細状態を表示する制御部とを有することを特徴とする監視装置。
【発明の詳細な説明】
【技術分野】
【０００１】
本発明は、ネットワークで接続するサーバ群を監視する監視装置に係り、特に、サーバ群のＪＯＢ、稼働状態を監視し、緊急対応の要否を明確に表示できるサーバ群の監視装置に関する。
【背景技術】
【０００２】
［従来の技術］
従来のネットワークに接続するサーバ群のシステムは、複数のデータベースサーバと、複数の受信サーバと、複数の配信サーバと、これらサーバを監視する監視装置とを備え、監視装置が、ネットワークを介して各サーバを監視するようになっていた。
【０００３】
従来、機能別に複数のサーバをネットワークで接続したシステムを構築した場合は、それらサーバ群を監視する監視装置は、サーバでの稼働状況、ＪＯＢ実行状況、実行結果をサーバ単位で表示画面に表示して監視するようになっていた。
尚、上記のようなサーバ群のシステムは、例えば、株式情報を配信し、配信された株式情報を表示する株式情報表示システムに利用されていた。
【０００４】
上記システムにおいて、各サーバは、以下のメッセージを監視装置に送信するようになっている。
サーバは、監視装置からの要求に従い、稼働状況を通知する。稼働状況は、オン／オフライン状況、アプリケーション（ＡＰ）実行状況（正常、異常）等である。
【０００５】
また、サーバは、監視装置からのＪＯＢコマンドに対して、受付メッセージを送信する。
また、サーバは、監視装置からのＪＯＢコマンドに対して、実行結果メッセージを送信する。
更に、サーバは、サーバ単位でデータの受信状況（データ受信エラー）を通知し、また、ハードウエアの障害を通知する。
【０００６】
［関連技術］
尚、関連する先行技術として、特開２００２−２０４２８３号公報「二重電文受信方法とその受信装置」（出願人：株式会社日立国際電気／特許文献１）と、特開平１０−２２４３７８号公報「クライアントサーバシステムの制御方法及びクライアントサーバシステム」（出願人：株式会社東芝／特許文献２）がある。
【０００７】
特許文献１には、株式関連情報を電文情報として受け取り、当該情報を加工して配信サーバへ送信する受信装置を備えた情報配信システムにおいて、現用系のサーバが受信制御プロセスによって受信電文に付された通番を監視し、欠落があれば未受信電文取得要求を相互監視プロセスに出力し、相互監視プロセスが予備系サーバから欠落電文に対応する電文を取得することが記載されている。
【０００８】
特許文献２には、クライアントサーバシステムにおいて、主系サーバと待機系サーバとを備え、主系サーバで故障が発生し、ＬＡＮでの通信不能となったものの処理続行が可能な場合に、主系サーバとクライアントとの通信を待機系サーバのインタフェースを用いて行い、主系サーバの処理を継続することが記載されている。
【先行技術文献】
【特許文献】
【０００９】
【特許文献１】特開２００２−２０４２８３号公報
【特許文献２】特開平１０−２２４３７８号公報
【発明の概要】
【発明が解決しようとする課題】
【００１０】
そして、従来の監視装置において、全てのサーバを一覧で画面に表示する場合（一覧表示）と、機能単位でサーバグループを画面に表示する場合（グループ表示）が考えられる。
以下、一覧表示とグループ表示について説明する。
【００１１】
［一覧表示の監視画面例：図５］
図５は、一覧表示の監視画面例を示す図である。
監視装置の表示部における表示画面には、図５に示すように、全てのサーバについて、「番号」、「状況」、「サーバ名」が一覧で表示され、「状況」は、サーバ単位で動作状況が色で表示されている。
【００１２】
当該一覧表示において、サーバをマウス等でクリックして選択した場合に、選択したサーバの「項番」、「時刻」、「メッセージ」が最新のものから順に表示され、障害の詳細が表示される。
図５では、「番号」が「６」の「受信サーバ  予備機」が、「時刻」が「９：３１」に相手からの接続が切られ、その後、接続リトライして、「時刻」が「９：３５」に再接続が完了したことを示している。
【００１３】
［グループ表示の監視画面例：図６］
図６は、グループ表示の監視画面例を示す図である。
監視装置の表示部における表示画面には、図６に示すように、機能単位でサーバグループが作成され、グループを選択した後に、属するサーバが表示される。
図６では、サーバグループとして「番号」、「グループ名」が表示され、「グループ名」としては、「データベースサーバ」、「受信サーバ」、「配信サーバ」となっている。
【００１４】
そして、サーバグループからグループが選択されると、各グループに含まれる各々のサーバの「番号」、「状況」、「サーバ名」が表示される。「状況」は、サーバ単位で動作状況が色で表示されている。
【００１５】
当該グループ表示において、サーバをマウス等でクリックして選択した場合に、選択したサーバの「項番」、「時刻」、「メッセージ」が最新のものから順に表示され、障害の詳細が表示される。障害の詳細は、図５のものと同様である。
【００１６】
しかしながら、従来のサーバ群の監視装置では、障害状況を表示するものの、冗長化されているサーバ群システム（現用機と予備機のサーバを備えて障害時に切り替えを行うシステム）の場合、状況によっては１台のサーバが障害となっても、本来ならば運用として正常であって緊急対応が必要ない場合があり、また、現用機と予備機の２台のサーバが障害となって緊急対応が必要な場合があり、このような緊急対応の要・不要を明確にできると共に、冗長化しているサーバを定義できるものとはなっていないという問題点があった。
【００１７】
本発明は上記実情に鑑みて為されたもので、サーバ群システムにおいて緊急対応の要否を明確に認識できると共に、障害となっているサーバを特定して詳細状態を容易に把握できるサーバ群の監視装置を提供することを目的とする。
【課題を解決するための手段】
【００１８】
上記従来例の問題点を解決するための本発明は、複数のサーバ群にネットワークを介して接続し、サーバ群を監視する監視装置であって、サーバ群を機能単位でグループ表示する表示部と、サーバ群を機能単位のグループで監視し、当該グループ内に属するサーバに障害が発生したか否かを判定し、障害が発生した判定した場合には、当該障害について縮退運用が可能ではなく緊急対応が必要であるか否かを判定し、緊急対応が必要な場合は、表示部にグループ表示を行う際に、グループ名に対応付けて状況を「障害」の表示色で表示し、緊急対応が必要でない場合は、状況を「警告」の表示色で表示し、障害が発生していない場合は、状況を「正常」の表示色で表示し、グループが選択されると、当該グループに属するサーバの稼動状態を表示し、当該グループに属するサーバが選択されると、当該サーバの詳細状態を表示する制御部とを有することを特徴とする。
【発明の効果】
【００１９】
本発明によれば、複数のサーバ群にネットワークを介して接続し、サーバ群を監視する監視装置であって、制御部が、サーバ群を機能単位のグループで監視し、当該グループ内に属するサーバに障害が発生したか否かを判定し、障害が発生した判定した場合には、当該障害について縮退運用が可能ではなく緊急対応が必要であるか否かを判定し、緊急対応が必要な場合は、表示部にグループ表示を行う際に、グループ名に対応付けて状況を「障害」の表示色で表示し、緊急対応が必要でない場合は、状況を「警告」の表示色で表示し、障害が発生していない場合は、状況を「正常」の表示色で表示し、グループが選択されると、当該グループに属するサーバの稼動状態を表示し、当該グループに属するサーバが選択されると、当該サーバの詳細状態を表示する監視装置としているので、サーバ群システムにおいて緊急対応の要否を明確に認識できると共に、障害となっているサーバを特定して詳細状態を容易に把握できる効果がある。
【図面の簡単な説明】
【００２０】
【図１】本発明の実施の形態に係るサーバ群の監視装置を含むシステムの構成ブロック図である。
【図２】表示処理のフローチャートである。
【図３】監視画面例１を示す図である。
【図４】監視画面例２を示す図である。
【図５】一覧表示の監視画面例を示す図である。
【図６】グループ表示の監視画面例を示す図である。
【発明を実施するための形態】
【００２１】
本発明の実施の形態について図面を参照しながら説明する。
［実施の形態の概要］
本発明の実施の形態に係るサーバ群の監視装置は、冗長化されているサーバ群において、１台のサーバが障害となっても、運用として正常の場合に、冗長化されているサーバを特定すると共に、警告の色で表示し、運用として異常の場合には、障害の色で表示するものであり、緊急対応が必要かどうかを容易に判断できるものである。
【００２２】
また、本発明の実施の形態に係るサーバ群の監視装置では、監視対象のサーバ群のグループ表示において、グループ名に対応付けて状況を色で表示する際に、サーバに障害が発生しても、縮退運用が可能で緊急対応が必要でない場合は、「警告」の表示色で表示し、縮退運用が可能ではなく緊急対応が必要な場合は、「障害」の表示色で表示し、サーバグループを選択すると、当該グループに属するサーバの稼動状態を表示し、更に、グループ内のサーバを選択すると、当該サーバの詳細状態を表示するようにしているので、サーバ群システムにおいて、緊急対応が必要か否かを容易に認識できると共に、障害となっているサーバを特定して詳細状態を容易に把握できる効果がある。
【００２３】
［サーバ群システム：図１］
本発明の実施の形態に係るサーバ群の監視装置について図１を参照しながら説明する。図１は、本発明の実施の形態に係るサーバ群の監視装置を含むシステムの構成ブロック図である。
本発明の実施の形態に係る監視装置（本装置）を含むシステムは、図１に示すように、複数のデータベースサーバ１と、複数の受信サーバ２と、複数の配信サーバ３と、監視装置１０とを基本的に有し、ネットワーク４を介して接続している。
【００２４】
［システムの各部］
［データベースサーバ１］
データベース（ＤＢ）サーバ１は、図１では、子グループとして、データベースサーバ１系（現用機）１ａと、データベースサーバ１系（予備機）１ｂと、データベースサーバ２系（現用機）１ｃと、データベースサーバ２系（予備機）１ｄと備えている。
【００２５】
データベースサーバ１系（現用機）１ａの予備機が、データベースサーバ１系（予備機）１ｂであり、データベースサーバ２系（現用機）１ｃの予備機が、データベースサーバ２系（予備機）１ｄである。
【００２６】
従って、データベースサーバ１系（現用機）１ａに障害が発生しても、データベースサーバ１系（予備機）１ｂが正常に動作するのであれば、システムとして稼働できるので、緊急対応は必要ない。
また、データベースサーバ１系（予備機）１ｂに障害が発生しても、データベースサーバ１系（現用機）１ａが正常に動作するのであれば、システムとして稼働できるので、緊急対応は必要ない。
尚、データベースサーバ２系（現用機）１ｃとデータベースサーバ２系（予備機）１ｄについても同様のことが言える。
【００２７】
［受信サーバ２］
受信サーバ２は、図１では、子グループとして、受信サーバ（現用機）２ａと、受信サーバ（予備機）２ｂとを備えている。
受信サーバ（現用機）２ａの予備機が、原則として受信サーバ（予備機）２ｂであるが、一方のサーバの障害に対して他方のサーバが予備的に動作する関係となっている。
【００２８】
［配信サーバ３］
配信サーバ３は、図１では、子グループとして、配信サーバ１号機３ａと、配信サーバ２号機３ｂと、配信サーバ３号機３ｃとを備えている。
また、配信サーバ１号機３ａは、孫グループとして、配信サーバ１号機（現用機）３ａ−１と、配信サーバ１号機（予備機）３ａ−２とを備えている。
【００２９】
また、上記サーバは、コンピュータで構成され、制御部と記憶部を備えている。
そして、上記サーバは、監視装置１０からの要求、ＪＯＢコマンドに対してメッセージ等を監視装置１０に通知すると共に、自発的にデータの受信状況、ハードウエアの障害を監視装置１０に通知する。
【００３０】
［監視装置１０］
監視装置（本装置）１０は、サーバから受信した稼働状況等のメッセージを受信し、当該メッセージを解析してサーバの障害状況を表示する。
但し、監視装置１０では、サーバの障害状況に応じて、予備機への切替によって継続して運用できる場合には、警告表示とし、継続して運用できない場合には、障害表示を行う。
【００３１】
尚、監視装置１０は、コンピュータで構成されており、制御部１１、記憶部１２と、インタフェース部１３とを備えている。
制御部１１は、記憶部１２に記憶された処理プログラムをロードし、以下に説明するサーバの登録処理と、表示処理を実行する。
インタフェース部１３は、ネットワーク４に接続し、また、表示部１４と入力部１５を接続している。
【００３２】
［登録処理］
本装置１０で、監視するサーバを登録する際に、以下の情報を入力して、監視を行う。
第１に、機能名で名前を付けて機能別サーバ群を定義し、機能別サーバ群で新規サーバを登録する。
第２に、機能別サーバ群に属するサーバ又は子グループを登録する。
第３に、子グループに属するサーバ又は孫グループを登録する。
第４に、グループ内に属するサーバに単独監視又は冗長化されているサーバの台数とサーバ単位で冗長化監視の属性を設定する。
尚、サーバの登録には、ＩＰ（Internet Protocol）又はドメイン名で登録する。
【００３３】
［表示処理：図２］
次に、本装置１０において、制御部１１によって実現される表示処理について図２を参照しながら説明する。図２は、表示処理のフローチャートである。
本装置１０の制御部１１は、ネットワーク４を介して各サーバから稼動状況等のメッセージ等を受信すると（Ｓ１）、当該メッセージ等を解析し（Ｓ２）、障害が発生したか否かを判定する（Ｓ３）。
【００３４】
判定処理Ｓ３の結果、障害が発生していなければ（Ｎｏの場合）、当該サーバについて「正常」の表示設定を行う。例えば、「状況」について正常を示す「緑色」で表示するよう設定する（Ｓ４）。
【００３５】
判定処理Ｓ３の結果、障害が発生していれば（Ｙｅｓの場合）、次に、当該障害が緊急を要するものであるか、又は緊急を要しないものであるかを判定する（Ｓ５）。
判定処理Ｓ５の結果、緊急を要するものであれば（Ｙｅｓの場合）、当該サーバについて「障害」発生の表示設定を行う。例えば、「状況」について障害発生を示す「赤色」で表示するよう設定する（Ｓ６）。
【００３６】
また、判定結果Ｓ５の結果、緊急を要するものでなければ（Ｎｏの場合）、当該サーバについて「警告」の表示設定を行う。例えば、「状況」について警告を示す「黄色」で表示するよう設定する（Ｓ７）。
以上のようにして、監視対象のサーバに対して「正常」「障害」「警告」の表示が為されるようになっている。
【００３７】
本装置は、登録された内容に従い、冗長が設定されている場合は、全ての冗長化されたサーバが障害にならない限り、障害表示を行わない。
つまり、現用機に障害があって、予備機に障害がない場合、もしくは、現用機に障害がなく、予備機に障害がある場合は縮退運用が可能であり、本装置は、警告色（例えば、黄色）で表示する。警告色の場合は、機能としては、稼働しているため、緊急対応の必要がない。
【００３８】
これにより、本装置１０の運用者がサーバ群システムに詳しくなくても、縮退運用が可能か、障害対応が必要なのかの判定を容易に行うことができる効果がある。
【００３９】
［監視画面例１：図３］
次ぎに、本装置における監視画面例について図３を参照しながら説明する。図３は、監視画面例１を示す図である。
図３に示す監視画面例では、グループ表示が為され、「番号」、「状況」、「グループ名」が表示される。
【００４０】
そして、特定のグループを入力部のマウス等でクリックして選択すると、当該グループに属するサーバの稼動状態を表示する。
更に、稼動状態が表示されたサーバをクリックによって選択すると、選択したサーバの詳細を表示するようになっている。具体的には、選択したサーバの「項番」、「時刻」、「メッセージ」が最新のものから順に表示され、障害の詳細が表示される。
【００４１】
ここで、グループ表示において、番号「２」、グループ名「受信サーバ」の状況が警告を示す色（例えば、実際の画面では黄色）で表示されている。
この警告は、サーバに障害が発生したものの、機能として動作している状態である。
受信サーバの稼動状態を参照すると、「受信サーバ  予備機」に障害が発生したことが認識できるが、「受信サーバ  現用機」が動作しているため、全体のシステムとしては縮退運用が可能となっている。
【００４２】
［監視画面例２：図４］
次ぎに、本装置における別の監視画面例について図４を参照しながら説明する。図４は、監視画面例２を示す図である。
図４に示す監視画面では、グループ表示において、番号「２」、グループ名「受信サーバ」の状況が障害を示す色（例えば、実際の画面では赤色）で表示されている。
この障害は、現用機及び予備機の双方に障害が発生し、緊急対応が必要な状態である。
【００４３】
グループに属する受信サーバの稼動状態を参照すると、「受信サーバ  現用機」と「受信サーバ  予備機」に双方に障害が発生したことが認識でき、縮退運用が可能ではなく、緊急対応が必要な状態となっている。
【００４４】
従って、本装置では、監視対象のサーバ群のグループ表示において、グループ名に対応付けて状況を色で表示する際に、サーバに障害が発生しても、縮退運用が可能で緊急対応が必要でない場合は、「警告」の表示色で表示し、縮退運用が可能ではなく緊急対応が必要な場合は、「警告」の表示色で表示し、サーバグループを選択すると、当該グループに属するサーバの稼動状態を表示し、更に、グループ内のサーバを選択すると、当該サーバの詳細状態を表示するものである。
これにより、サーバ群システムにおいて、緊急対応が必要か否かを容易に認識できると共に、障害発生のサーバを容易に定義できる効果がある。
【００４５】
［実施の形態の効果］
本装置によれば、障害が発生しているサーバを緊急で対応する必要があるかどうかを視覚的に判断することができ、機能を十分に知らない運用者でも容易に判断できる効果がある。
【００４６】
具体的には、本装置では、機能単位のサーバで緊急対応が必要な障害に対して障害色を、例えば、赤で表示し、緊急対応が必要でない障害に対して警告色を、例えば、黄色で表示するようにしているので、緊急対応が必要な障害と緊急対応が必要でない警告とを容易に判断できる効果がある。
【産業上の利用可能性】
【００４７】
本発明は、サーバ群システムにおいて緊急対応の要否を明確に認識できると共に、障害となっているサーバを特定して詳細状態を容易に把握できるサーバ群の監視装置に好適である。
【符号の説明】
【００４８】
１…データベース（ＤＢ）サーバ、  １ａ…データベースサーバ１系（現用機）、  １ｂ…データベースサーバ１系（予備機）、  １ｃ…データベースサーバ２系（現用機）、  １ｄ…データベースサーバ２系（予備機）、  ２…受信サーバ、  ２ａ…受信サーバ（現用機）、  ２ｂ…受信サーバ（予備機）、  ３…配信サーバ、  ３ａ…配信サーバ１号機、  ３ａ−１…配信サーバ１号機（現用機）、  ３ａ−２…配信サーバ１号機（予備機）、  ３ｂ…配信サーバ２号機、  ３ｃ…配信サーバ３号機、  ４…ネットワーク、  １０…監視装置、  １１…制御部、  １２…記憶部、  １３…インタフェース部、  １４…表示部、  １５…入力部
【図１】
2011145911.tif 000003
【図２】
2011145911.tif 000004
【図３】
2011145911.tif 000005
【図４】
2011145911.tif 000006
【図５】
2011145911.tif 000007
【図６】
2011145911.tif 000008